(57)【要約】【課題】  早い印刷速度でかつ濃度の高い画像を形成できるインクジェットプリンタを提供する。【解決手段】  インクジェットプリンタは６個のインクジェットヘッドからなるインクジェットヘッド１５を有し、それらは、主走査側からＣ１５１ａ、Ｍ１５２ａ、Ｙ１５３、Ｋ１５４、Ｍ１５２ｂ、Ｃ１５１ｂの順に配置される。【選択図】      図２
2005280110.tif 000002
【特許請求の範囲】
【請求項１】
４色のインクを吐出して画像を形成するインクジェットプリンタであって、
用紙に対して相対的に移動され、前記用紙上にそれぞれが異なる色のインクを吐出するための６個のインクジェットヘッドを有し、
前記６個のインクジェットヘッドは、１個の黄色および黒と、一対のシアンおよびマゼンタとを含む、インクジェットプリンタ。
【請求項２】
前記６個のインクジェットヘッドは、中央部に１個の色のヘッドが配置され、前記用紙に対する、主走査方向において前記一対の色のヘッドが中央部に対して対称的に配列される、請求項１に記載のインクジェットプリンタ。
【請求項３】
前記ヘッドの配置は主走査方向にシアン、マゼンタ、黄色、黒、マゼンタ、シアンの順に配置される、請求項１または２に記載のインクジェットプリンタ。
【請求項４】
前記一対の色のヘッドは同一位置にインクを吐出する、請求項１または２に記載のインクジェットプリンタ。
【発明の詳細な説明】
【技術分野】
【０００１】
この発明は、複数の色インクを使用するインクジェットプリンタに関し、特に、高濃度の表現が可能なインクジェットプリンタに関する。
【背景技術】
【０００２】
従来の複数のヘッドを使用するインクジェットプリンタにおいては、ＣＭＹＫＬｃＬｍというインクヘッドの配置をしたものがある。ここで、Ｃはシアン、Ｍはマゼンタ、Ｙはイェロー、Ｋは黒、Ｌｃは濃度の低いシアン、Ｌｍは濃度の低いマゼンタである。
【０００３】
そのようなインクジェットプリンタにおいて、ヘッドの数を増やしたものがたとえば特開２００３−２７６３００号公報（特許文献１）に記載されている。
【０００４】
同公報によれば、ＹＭＣＫ以外に赤、緑、青インクを吐出する７個のヘッドを有するインクジェットプリンタが開示されている。
【特許文献１】特開２００３−２７６３００号公報（段落番号００２４）
【発明の開示】
【発明が解決しようとする課題】
【０００５】
従来のインクジェットプリンタのヘッドは上記のように構成されていた。従来のインクジェットプリンタでは、各ヘッドが吐出する１ドットのインク量が決まっているので、解像度により単位面積当りに打ち込める最大インク量が決まっている。しかしながら、この最大インク量を打ち込んでも、濃度が足りない場合がある。
【０００６】
これを解決するのに、従来は最大インク量を増やすために解像度を上げていた。すなわち、単位面積当りに打ち込めるインクの量を増やしていた。しかしこれでは印刷速度が遅くなるという問題があった。というのは、ヘッドにはドットを打ち出す早さ（駆動周波数）に限界があり、解像度を上げるほど、ヘッドの走査スピードを落とす必要があるためである。もしくは、ヘッドのスピードを落とさずに複数の走査で単位面積の塗りつぶしを完成させるという方法もとりうる。いずれにしても、全体の印刷速度が遅くなり、印刷速度が２７ｍ２/ｈ程度までしか出すことができないという問題があった。
【０００７】
この発明は、上記のような問題点を解消するためになされたもので、高い印刷速度でかつ濃度の高い画像を形成できるインクジェットプリンタを提供することを目的とする。
【課題を解決するための手段】
【０００８】
この発明にかかる、インクジェットプリンタは、複数の色のインクを吐出して画像を形成するインクジェットプリンタであって、用紙に対して相対的に移動され、用紙上にそれぞれが異なる色のインクを吐出するための６個のインクジェットヘッドを有し、６個のインクジェットヘッドは、１個の黄色および黒と、一対のシアンおよびマゼンタとを含む。
【０００９】
シアンとマゼンタの濃度が黄色に比べて低いため、従来の印刷ではＹは７０％程度しか濃度を出していない。このため、シアンとマゼンタの印字ヘッドを追加して黄色の濃度とバランスを取ることで、黄色の１００％の濃度を出すことができるようになり、結果的に全体の濃度が上がる。主走査方向の解像度を低くできることにより、走査速度を上げて印刷速度を上げることができるようになる。その結果、高い印刷速度でかつ濃度の高い画像を形成できるインクジェットプリンタを提供できる。
【００１０】
好ましくは、複数のインクジェットヘッドは、中央部に１個の色のヘッドが配置され、用紙に対する、主走査方向において一対の色のヘッドが中央部に対して対称的に配列される。
【００１１】
インクジェットヘッドとして、中央に単独のヘッドである黄色と黒が配置され、印刷される主走査方向の先端側からシアン、マゼンタまたはマゼンタ、シアンの順に配列したため、双方向印刷において同じ順で色が印刷される。
【００１２】
さらに好ましくは、一対の色のヘッドは同一位置にインクを吐出する。
【発明を実施するための最良の形態】
【００１３】
以下、この発明の一実施の形態について、図面を参照して説明する。
【００１４】
図１は、この発明の一実施の形態に係る、インクジェットプリンタの全体構成を示す概略図である。
【００１５】
図１を参照して、インクジェットプリンタ１０は、本体１１と本体１１を支持する脚１８とを含む。本体１１は、インクを出力するインクジェットヘッド１５と、インクジェットヘッド１５を図中左右方向の主走査方向に移動させる際のガイドとなるガイドレール１６と、本体１１の一方端部に設けられた操作パネル１３と、本体１１の両側端部に設けられたサイドカバー１２とを含む。
【００１６】
本体１１の前面には、フロントカバー２１が設けられ、本体１１のインクジェットヘッド１５の下部には、プラテン２０が設けられている。本体１１の左端部には、インクジェットヘッド１５での印字時に図示のない用紙をプラテン２０上でピンチロール（図示無し）で挟むためのピンチロールレバー１９が設けられている。
【００１７】
次にインクジェットヘッド１５について説明する。図２は、インクジェットヘッド１５がインクジェットプリンタの駆動側端部（図１の操作パネルの存在する側）に位置する場合の状態を示す図である。図２を参照して、インクジェットヘッド１５は、主走査方向（図中矢印Ａ，Ｂで示す左右方向）にガイドレール１６に沿って、図示のないモータによって駆動チェーンを介して駆動される。これに対して、印字される用紙Ｐは主走査方向に直交する副走査方向（紙面に向かう方向）に図示のないピンチローラで押されながら駆動される。
【００１８】
図２に示すように、インクジェットヘッド１５は、主走査方向（たとえば、図中矢印Ｂで示す方向）において、シアン（Ｃ）インクジェットヘッド１５１ａ、マゼンタ（Ｍ）インクジェットヘッド１５２ａ、黄色（Ｙ）インクジェットヘッド１５３、黒（Ｋ）インクジェットヘッド１５４、マゼンタ（Ｍ）インクジェットヘッド１５１ｂ、シアン（Ｃ）インクジェットヘッド１５１ｂの順に配列される。すなわち、ＣとＭのインクジェットヘッドが２組設けられ、ＹとＫについては１個のみ設けられる。また、これら６個のインクジェットヘッドのそれぞれに対応したキャッピング装置３０が設けられる。
【００１９】
各色のインクジェットヘッドが上記のように設けられるのは、次の理由による。すなわち、Ｙは単独でもＣやＭに対して相対的に濃度が濃いため１個のインクジェットヘッドとし、ＣとＭについては、Ｙに対応する濃度を表現するため、２組設けている。そして、インクジェットヘッド１５が主走査方向に駆動されると、１回のパスでＫとＹについては、１ドット分のインクが吐出され、ＣとＭについては、２ドット分のインクが吐出される。
【００２０】
次に、ＣＭＹのベタ画像を印刷する場合について説明する。図３はそのような場合の印刷される図柄（ドット配置図３（Ａ））と、その場合のインクの吐出手順を示す図（図３（Ｂ）および（Ｃ））である。
【００２１】
図において、２度打ちしているドットには斜線を引いている。すなわち、図３（Ａ）に示すように、Ｙは１度、ＣとＭについては２度打ちしたべた画像を印刷するものとする。このとき、インクジェットヘッド１５の各色のノズルの配置は（Ｂ）、（Ｃ）に示すように、ＣＭＹＫＭＣであるものとする。
【００２２】
まずインクジェットヘッド１５の最初のパスで所定の位置にＹを吐出する。図３（Ｂ）の左端の図はＹノズルからインクを吐出し終わった状態を示す。図において、矢印はそのノズルからインクが吐出されたことを示す。ついで、図３（Ｂ）の中央部に示すように、先頭のＣノズルからＣインクが吐出される。右端の図はＭノズルからインクが吐出された状態を示す。
【００２３】
次いで、図３（Ｃ）に示すようにヘッドが移動するが、Ｙノズルからのインクの吐出は無い。インクジェットヘッド１５の後部のＣノズルからは図３（Ｂ）でインクを吐出したのと同じ位置に２度目のインクを吐出する。ついで後部のＭノズルからも図３（Ｂ）でインクを吐出したのと同じ位置に２度目のインクを吐出する。以上のように、Ｙについては１度、ＣＭについては２度のインク吐出を行なう。
【００２４】
上記のような割合でインクを吐出すると、Ｃ：Ｍ：Ｙの濃度比は１５０％：１５０％：１００％となり、人間の見た感覚ではちょうどよいバランスになる。
このように、各色のインクジェットヘッドをその濃度がバランスよく表現できるような数だけ設ける。ＣとＭの印字ヘッドを追加してＹの濃度とバランスを取ることで、Ｙの１００％の濃度を出すことができるようになり、全体の濃度が上がる。主走査方向の解像度を低くできることにより、走査速度を上げて印刷速度を上げることができるようになる。その結果、高い印刷速度でかつ濃度の高い画像を形成できるインクジェットプリンタを提供できる。
【００２５】
したがって、３６０ｄｐｉ×３６０ｄｐｉモードのような低解像度において実用濃度を確保できる。また、印刷速度を５０ｍ２/ｈ程度まであげることが可能となる。
【００２６】
また、各色のインクジェットヘッドを、複数の色のインクジェットヘッドをインクジェットヘッド１５の中央部に対して対称的になるよう、主走査方向にＣ、Ｍ、Ｙ、Ｋ、Ｍ、Ｃのように配列したため、双方向印字のときに同じ順で色が打たれる。
【００２７】
なお、本来そのままで適切であるが、ＣとＭについては２度インクが吐出されるため、その分濃度が上昇する場合がある。この場合は、濃度が上昇した分、印刷する面積を間引くようにしてもよい。たとえば、濃度が濃くなり過ぎた分、印刷面積を減らしてもよい。または、複数ある色のインクジェットヘッドについては、予め１個の色のインクジェットヘッドに対して、１ヘッドごとの吐出量の割合を定めておいてもよい。また、印刷する画像の解像度に応じて、３６０ｄｐｉ×３６０ｄｐｉモードのような解像度であれば７０％インクを吐出し、それ以下の解像度であれば、１００％インクを吐出するようにしてもよい。
【００２８】
上記実施の形態においては、１個の黒色および黄色ならびに一対のシアンおよびマゼンタの６個のインクジェットヘッドを、主走査方向にＣ、Ｍ、Ｙ、Ｋ、Ｍ、Ｃの順に並べる例について説明したが、中央部に１個のヘッドのみの色を配置し、その外部に中央部に対して一対のヘッドを有する色のヘッドを対称的に配列してもよい。
【００２９】
上記実施の形態においては、中央部に１個のヘッドのみの色を配置し、その外部に中央部に対して一対のヘッドを有する色のヘッドを対称的に配列する例について説明したが、これに限らず、この６個のインクジェットヘッドを任意の順で配列してもよい。
【００３０】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【産業上の利用可能性】
【００３１】
１個の黄色、黒と２個づつのシアン、マゼンタの６個のインクジェットヘッドを用いて画像を印刷するため、従来相対的に濃度が低かったシアン、マゼンタの濃度を上げることができる。基本の４色を人間の目から見てほぼ等しい濃度で印刷できるため、インクジェットプリンタのインクジェットヘッドの配列に有利に使用可能である。
【図面の簡単な説明】
【００３２】
【図１】この発明の一実施の形態に係るインクジェットプリンタの外観を示す図である。
【図２】インクジェットプリンタの６個のインクジェットヘッドの配置状態を示す図である。
【図３】実際のインク吐出状態の例を示す図である。
【符号の説明】
【００３３】
１０  インクジェットプリンタ、１２  サイドカバー、１３  操作パネル、１５  インクジェットヘッド、１６  ガイドレール、１８  脚、１９  ピンチロールレバー、２０フロントカバー、２１  プラテン３０  キャッピング装置。
【図１】
2005280110.tif 000003
【図２】
2005280110.tif 000004
【図３】
2005280110.tif 000005